(57)【要約】      （修正有）【課題】壁据付電子装置にあって、そのサイズ変化への対応範囲が広い壁据付支持体を提供する。【解決手段】壁据付支持体は、壁に据え付けられるように構成されかつ垂直軌道４０を有する壁腕木２１と、垂直軌道上に滑動可能に据え付けられたキャリア５と、それぞれ垂直軌道に対する横断方向にキャリアから延在し、かつそれらの間の角度調整を許容するようにキャリアに軸支される一対の支持アーム６と、キャリアに接続される摩擦提供部材５２２を含み、垂直軌道上のキャリアの滑動移動を妨げるように垂直軌道に対して当接するように動作可能な制動機構とを含む。【選択図】図２
0003145102.tif 000002
【実用新案登録請求の範囲】
【請求項１】
壁据付支持体であって、
壁に据え付けられるように構成されかつ垂直軌道を有する壁腕木と、
前記垂直軌道上に滑動可能に据え付けられたキャリアと、
それぞれ前記垂直軌道に対する横断方向に前記キャリアから延在し、かつそれらの間の角度調整を許容するように前記キャリアに軸支される一対の支持アームと、
前記キャリアに接続される摩擦提供部材を含み、前記垂直軌道上の前記キャリアの滑動移動を妨げるように前記垂直軌道に対して当接するように動作可能な制動機構とを備える壁据付支持体。
【請求項２】
各前記支持アームは、前記キャリアに軸支される歯付き軸支端部を有し、前記支持アームの前記歯付き軸支端部は、互いにかみ合う請求項１に記載の壁据付支持体。
【請求項３】
前記キャリアは、前方および後方開放端部を有するキャリア筐体と、前記前方開放端部と後方開放端部との間に配置された二対の内側凹部とを含み、前記各支持アームの前記歯付き軸支端部は、それぞれ隣接する対の前記内側凹部内に延在する２つの対向するスタッドを有して形成される請求項２に記載の壁据付支持体。
【請求項４】
前記内側凹部から前記支持アームの前記歯付き軸支端部の望ましくない取り除きを妨げるように、前記支持アームの前記歯付き軸支端部に隣接しかつ前記支持アームの前記歯付き軸支端部の背後の前記キャリア筐体に固定されかつ前記キャリア筐体内に配置される閉じ込め部材をさらに備える請求項３に記載の壁据付支持体。
【請求項５】
各前記支持アームは、対向する第１および第２の端部を有する支持プレートを含み、前記支持プレートの前記第１の端部は、前記支持アームのそれぞれ１つの前記歯付き軸支端部を画定する軸支シャフトを有して形成され、各前記支持アームは、前記支持プレート上にスリーブ継手で付けられ、かつ各前記支持アームについての長さ調整を許容するように横断方向に前記支持プレートに対して移動可能である支持スリーブをさらに含む請求項１に記載の壁据付支持体。
【請求項６】
各前記支持アームの前記支持プレートは、その前記第１の端部と前記第２の端部との間に前記横断方向に延在するスロットを有して形成され、前記支持スリーブは、ねじ切り孔を有して形成され、かつ前記支持プレート上の前記支持スリーブの移動範囲を制限するために、前記ねじ切り孔をねじ式に通りかつ前記スロット内に延在するねじが設けられる請求項５に記載の壁据付支持体。
【請求項７】
前記摩擦提供部材は、前記キャリアに接続されかつ前記垂直軌道内に配置される制動プレートの形態であり、前記制動機構は、前記垂直軌道に対して当接するように、前記制動プレートを前記垂直軌道に対して傾斜するように駆動するために前記キャリアをねじ係合するねじロッドをさらに含む請求項１に記載の壁据付支持体。
【請求項８】
前記壁腕木の前記垂直軌道は、一対の対向する案内溝を画定し、前記キャリアは、前記案内溝内にそこから外側に延在する一対の対向するウィングを有して形成される後方開放端部を有するキャリア筐体を含む請求項７に記載の壁据付支持体。
【考案の詳細な説明】
【技術分野】
【０００１】
本考案は、壁据付支持体に関し、より詳細には、垂直軌道上で滑動可能であるキャリア、およびキャリアに軸支されかつその間の角度に調整可能である支持アームを含む壁据付支持体に関する。
【背景技術】
【０００２】
図１は、従来の壁据付支持体を示し、従来の壁据付支持体は、垂直軌道２１１を有する壁腕木２１と、垂直軌道２１１に滑動可能に据え付けられた弓形キャリア２２２と、弓形キャリア２２２を通って延在しかつ固定され、ならびにその上に電子装置１２を支持するように構成された弓形支持アーム２２４とを含む。支持アーム２２４および支持スリーブ２２３の全長さが、調整可能であり、それによって異なる寸法の電子装置１２の支持を許容するように、一対の支持スリーブ２２３が、支持アーム２２４の２つの対向する端部に移動可能にスリーブ継手で付けられる。しかしながら、支持アーム２２４は、形状が弓形でありかつ弓形キャリア２２２に固定されるので、異なるサイズの電子装置１２を支持するための幅は制限される。
【考案の開示】
【考案が解決しようとする課題】
【０００３】
したがって、本考案の目的は、従来技術に関連する前述の欠点を解消できる壁据付支持体を提供することである。
【課題を解決するための手段】
【０００４】
本考案によれば、壁据付支持体は、壁に据え付けられるように構成されかつ垂直軌道を有する壁腕木と、垂直軌道上に滑動可能に据え付けられたキャリアと、それぞれ垂直軌道に対する横断方向にキャリアから延在し、かつそれらの間の角度調整を許容するようにキャリアに軸支される一対の支持アームと、キャリアに接続される摩擦提供部材を含み、垂直軌道上のキャリアの滑動移動を妨げるように垂直軌道に対して当接するように動作可能な制動機構とを備える。
【０００５】
本考案の他の特徴および利点は、添付の図面を参照する本考案の好ましい実施形態の以下の詳細な説明で明らかになる。
【考案を実施するための最良の形態】
【０００６】
図２、図３、および図１１を参照すると、本考案による壁据付支持体の好ましい実施形態は、壁８２に据え付けられるように構成されかつ垂直軌道４０を有する壁腕木４と、垂直軌道４０上に滑動可能に据え付けられたキャリア５と、その上に電子装置（図示せず）を支持するためにキャリア５に接続され、かつ一対の支持アーム６を含む支持ユニットであって、各支持アーム６は、垂直軌道４０に対する横断方向にキャリア５から延在し、かつそれらの間の角度調整を許容するように（図１０を参照）キャリア５に軸支される、支持ユニットと、キャリア５に接続される摩擦提供部材５２２を含み、垂直軌道４０上のキャリア５の滑動移動を妨げるように垂直軌道４０に対して当接する（図１１および図１２を参照）ように動作可能な制動機構とを含んで示される。
【０００７】
この実施形態において、各支持アーム６は、キャリア５に軸支される歯付き軸支端部６１２を有する。支持アーム６の歯付き軸支端部６１２は、支持アーム６の同時回転を許容するように互いに噛み合う。
【０００８】
キャリア５は、キャリア筐体５１を含み、キャリア筐体５１は、前方開放端部５１３および後方開放端部５１２、ならびに前方開放端部５１３と後方開放端部５１２との間に配置された二対の内側凹部５１５（図７および図８を参照）を有する。各支持アーム６の歯付き軸支端部６１２は、リング６１３とともにスリーブ継手で付けられ、かつそれぞれ隣接する一対の内側凹部５１５内に延在する２つの対向するスタッド６１５を有して形成される。
【０００９】
閉じ込め部材５２１は、内側凹部５１５から支持アーム６の歯付き軸支端部６１２の望ましくない取り除きを妨げるように、支持アーム６の歯付き軸支端部６１２に隣接しかつ背後のキャリア筐体５１に固定されかつキャリア筐体５１内に配置される。
【００１０】
各支持アーム６は、対向する第１の端部および第２の端部を有する支持プレート６１を含む。支持プレート６１の第１の端部は、支持アーム６のそれぞれ１つの歯付き軸支端部６１２を画定する軸支シャフト６１１を有して形成される。各支持アーム６は、支持プレート６１上にスリーブ継手で付けられ、かつ各支持アーム６についての長さ調整を許容するように横断方向に支持プレート６１に移動可能である支持スリーブ６２と、支持スリーブ６２の周辺にスリーブ継手で付けられるＵ形状保護スリーブ６３とをさらに含む。
【００１１】
各支持アーム６の支持プレート６１は、その第１の端部と第２の端部との間で横断方向に延在するスロット６１４を有して形成される。支持スリーブ６２は、ねじ切り孔６２１を有して形成され、かつねじ６４が設けられ、ねじ６４は、それぞれ支持プレート６１に対する支持スリーブ６２の延長された位置と引き込められた位置とを示す図９および図１２に最も良く示されるように、支持プレート６１上の支持スリーブ６２の移動範囲を制限するために、ねじ切り孔６２１を通りねじ切られてかつスロット６１４内に延在する。
【００１２】
再び図２および図３を参照すると、壁腕木４は、全体的にＵ形状のプレート４１と、一対の対向するウィングプレート４１６と、頂部および底部端部キャップ４５とを有する。Ｕ形状プレート４１は、頂部端部４１２および底部端部４１３と、それを通りかつ壁８２内への（図１１を参照）ねじ８１の延長のための複数のねじ孔４１８を有して形成される後方壁４１９（図４を参照）と、頂部端部４１２と底部端部４１３との間に延在しかつ垂直軌道４０を協働して画定する２つの対向する側壁４１７とを有する。各側壁４１７は、前方および後方端部を有する。各ウィングプレート４１６は、Ｕ形状プレート４１の側壁４１７の一方の後方端部から側方に延在する。頂部および底部端部キャップ４５は、Ｕ形状プレート４１の頂部端部４１２および底部端部４１３上にそれぞれ据え付けられる。
【００１３】
摩擦提供部材５２２は、キャリア５に接続されかつ垂直軌道４０内に配置された制動プレート５２２’の形態である（図８および図１１を参照）。制動機構は、それぞれＵ形状プレート４１の側壁４１７から互いに向かって突出する垂直軌道４０の一対の後方案内壁４１０に対して当接するように（図３および図１２を参照）、制動プレート５２２’が垂直軌道４０に対して傾斜される傾斜位置（図１２を参照）に、垂直位置（図１１を参照）から制動プレート５２２’を駆動するためにキャリア５をねじ係合するねじロッド５３をさらに含む。
【００１４】
壁腕木４の垂直軌道４０は、それぞれＵ形状プレート４１の側壁４１７から互いに向かって突出し、かつ垂直軌道４０の一対の対向する案内溝４１０を画定するために後方案内壁４１０と協働する一対の前方案内壁４１１（図３を参照）をさらに含む。キャリア筐体５１の後方開放端部５１２は、それぞれ案内溝４１４内（図１１を参照）へそこから外側に延在する一対の対向するウィング５１７（図７を参照）を有して形成される。
【００１５】
壁据付支持体は、二対の上方および下方リーフプレート４４を含む軸支ユニットをさらに含み、上方および下方リーフプレート４４は、ねじ４７を介してウィングプレート４１６に固定され、かつそれぞれウィングプレート４１６から側方に延在し、各上方および下方リーフプレート４４は、それぞれのウィングプレート４１６から遠位の軸支端部４４１を有し、さらにそれぞれ前方端部４２１および後方端部４２２を有する一対の対向する弓形カバープレート４２を含む。各弓形カバープレート４２の後方端部４２２は、隣接する一対の上方および下方リーフプレート４４の軸支端部４４１に軸支される。各弓形カバープレート４２は、開放位置と閉鎖位置（図５および図６を参照）との間で壁腕木４に対して回転可能である。各カバープレート４２は、電子装置（図示せず）のケーブルを受容するためにその中に収容空間４８を画定するために、隣接する対の上方および下方リーフプレート４４、それぞれのウィングプレート４１６、およびＵ形状プレート４１の前記一方の側壁４１７と協働する。各弓形カバープレート４２の前方端部４２１は、弓形カバープレート４２が閉鎖位置に配置されるとき（図６を参照）、頂部および底部端部キャップ４５を解放可能に係合し、弓形カバープレート４２が開放位置に配置されるとき（図５を参照、想像線で示される）、頂部および底部端部キャップ４５を分離する。
【００１６】
この実施形態において、各弓形カバープレート４２の前方端部４２１は、それを通りかつ収容空間４８内への電子装置（図示せず）のケーブルの延長のために構成されたギャップ４０１（図５を参照）だけ、Ｕ形状プレート４１の前記一方の側壁４１７の前方端部から離間される。各弓形カバープレート４２の前方端部４２１とＵ形状プレート４１の前記一方の側壁４１７の前方端部との間のギャップ４０１は、弓形カバープレート４２が閉鎖位置から開放位置へ移動されるとき、拡大される。
【００１７】
各弓形カバープレート４２の後方端部４２２は、Ｃ形状溝４２３を有して形成される。各上方および下方リーフプレート４４の軸支端部４４１は、各弓形カバープレート４２の後方端部４２２内のＣ形状溝４２３にぴったりと受容される軸支ロッド４４１’を有して形成される。
【００１８】
各弓形カバープレート４２は、頂部および底部保護スリーブ４６が設けられた頂部および底部端部を有し、各保護スリーブ４６は、弓形カバープレート４２の後方端部４２２から弓形カバープレート４２の前方端部４２１へ延在し、かつ各保護スリーブ４６は、前方端部４６２および後方端部４６１を有する。各頂部および底部保護スリーブ４６の前方端部４６２は、弓形カバープレート４２が閉鎖位に配置されるとき、舌状部および溝の係合様式（図６を参照）で頂部および底部端部キャップ４５のそれぞれ一方と解放可能に係合し、それによって、弓形カバープレート４２を閉鎖位置で保持する。各頂部および底部保護スリーブ４６の前方端部４６２は、それを通りかつそれぞれの弓形カバープレート４２の前方端部４２１内のＣ形状溝４２４内への第１のねじ４９１の延長のためのねじ孔４６４を有して形成される。各頂部および底部保護スリーブ４６の後方端部４６１は、それを通りかつそれぞれの弓形カバープレート４２の後方端部４２２内のＣ形状溝４２３内への第２のねじ４９２の延長のためのねじ孔４６３を有して形成される。
【００１９】
各頂部および底部端部キャップ４５は、垂直軌道４０内の案内溝４１４内にぴったりとかつそれぞれはめ込まれる２つの対向する突出部４５３を有して形成される。
【００２０】
Ｕ形状プレート４１は、さらに、案内溝４１４の後方に、かつ垂直軌道４０内に挿入プレート４３を受けるためにＵ形状プレート４１の後方壁４１９の前方に配置された、一対の対向する保持溝４１５を有して形成される。
【００２１】
本考案の壁据付支持体におけるキャリア５および支持アーム６を含み、従来技術に関連する前述の欠点が取り除かれことが可能である。
【００２２】
本考案は、最も実際的でありかつ好ましい実施形態だと考えられるものと関連して説明されたが、本考案は、開示された実施形態に制限されないが、最も広い解釈および等価の構成の精神および範囲内に含まれる様々な構成を包含することが意図されることが理解される。
【図面の簡単な説明】
【００２３】
【図１】従来の壁据付支持体の斜視図である。
【図２】本考案による壁据付支持体の好ましい実施形態の分解斜視図である。
【図３】好ましい実施形態の壁腕木および一対のカバープレートの部分分解斜視図である。
【図４】好ましい実施形態の概略的な後面図である。
【図５】どのように好ましい実施形態のカバープレートが、開放位置と閉鎖位置との間で移動可能であるかを示す概略的な上面図である。
【図６】どのようにカバープレートの一方の頂部保護スリーブが、好ましい実施形態の壁腕木上の頂部端部キャップと係合するかを示す概略的な上面図である。
【図７】好ましい実施形態のキャリアの部分概略前面図である。
【図８】好ましい実施形態のキャリアの分解断面図である。
【図９】支持スリーブが、好ましい実施形態の２つの支持アームの一方の支持プレートに対する延在位置に配置される状態を示す部分断面図である。
【図１０】どのように好ましい実施形態の支持アームが、それらの間の角度を調整可能であることを示す斜視図である。
【図１１】どのようにキャリアが、好ましい実施形態の制動機構を使用して垂直軌道での滑動を妨げられるかを示す部分断面図である。
【図１２】どのようにキャリアが、好ましい実施形態の制動機構を使用して垂直軌道での滑動を妨げられるかを示す部分断面図である。
【符号の説明】
【００２４】
４    壁腕木
５    キャリア
６、２２４    支持アーム
１２    電子装置
２１    壁腕木
４０、２１１    垂直軌道
４１    Ｕ形状プレート
４２    弓形カバープレート
４４    リーフプレート
４５    端部キャップ
４６    保護スリーブ
４７、６４    ねじ
４８    収容空間
５１    キャリア筐体
５３    ねじロッド
６１    支持プレート
６２、２２３    支持スリーブ
８２    壁
２２２    弓形キャリア
４０１    ギャップ
４０２、４０３    接続端部
４１０    後方案内壁
４１１    前方案内壁
４１２    頂部端部
４１３    底部端部
４１４    案内溝
４１５    保持溝
４１６    ウィングプレート
４１７    側壁
４１８、４６３、４６４    ねじ孔
４１９    後方壁
４２１、４５１、４６２    前方端部
４２２、４５２、４６１    後方端部
４２３    Ｃ形状プレート、Ｃ形状溝
４４１    軸支端部
４４１’    軸支ロッド
４５３    突出部
４９１    第１のねじ
４９２    第２のねじ
５１２、５１３    開放端部
５１５    内側凹部
５１２    閉じ込め部材
５１７    ウィング
５２２    摩擦提供部材
５２２’    制動プレート
６１１    軸支シャフト
６１２    歯付き軸支端部
６１３    リング
６１４    スロット
６１５    スタッド
６２１    ねじ切り孔
【図１】
0003145102.tif 000003
【図２】
0003145102.tif 000004
【図３】
0003145102.tif 000005
【図４】
0003145102.tif 000006
【図５】
0003145102.tif 000007
【図６】
0003145102.tif 000008
【図７】
0003145102.tif 000009
【図８】
0003145102.tif 000010
【図９】
0003145102.tif 000011
【図１０】
0003145102.tif 000012
【図１１】
0003145102.tif 000013
【図１２】
0003145102.tif 000014